(57)【要約】【課題】  購入者がコンテンツを再生したとき、特定のメールアドレスのユーザが購入者に分からないように再生履歴情報を得ることができる電子透かしを利用した電子メール配信システムを得る。【解決手段】  コンテンツ配信サイト１がユーザ端末２（プレヤー装置）が所望するコンテンツａｉを送信するとき、このコンテンツａｉの所定のフィールドに秘密のメールアドレスｂｉを電子透かしで埋め込んで通信ネットワーク３を介して送信し、ユーザ端末２側では前述のメールアドレス付コンテンツ情報Ａｉを受信したとき、ユーザ（購入者）の再生履歴情報のメールを特定のメールアドレスｂｉ宛てでメールサーバ４に送信する。例えば、コンテンツの再生回数、再生時間、再生時の動作環境などを送信する。【選択図】        図１
2005184524.tif 000002
【特許請求の範囲】
【請求項１】
ユーザ端末に対して配信サーバがコンテンツデータを送信するとき、このコンテンツデータに特定のメールアドレスを電子透かしで埋め込んだメールアドレス付きコンテンツ情報を生成し、通信ネットワークを介して前記ユーザ端末に送信し、該ユーザ端末から前記コンテンツデータの再生に係わる所定のデータを前記特定のメールアドレス宛てに前記通信ネットワークを介して送信させる電子透かしを利用した電子メール配信システムであって、
前記配信サーバは、
前記コンテンツ名と前記コンテンツデータとが対応させられて記憶された第１のファイルと、
前記コンテンツ名と一つ又は多数の特定のメールアドレスとが対応させられて記憶された第２のファイルと、
前記第１のファイルから前記コンテンツ名のコンテンツデータを前記ユーザ端末に送信するとき、前記第１のファイルから前記コンテンツ名に対応した前記コンテンツデータを読み出す手段と、
前記コンテンツ名に対応する前記特定のメールアドレスを前記第２のファイルから読込み、電子透かし処理を施して前記読み出されたコンテンツデータの所定のフィールドに埋め込んだ前記メールアドレス付きコンテンツ情報を生成して前記通信ネットワークを介して前記ユーザ端末に送信させる手段と
を有し、
前記ユーザ端末は、
前記配信サーバからの前記メールアドレス付きコンテンツ情報を受信して、これを第３のファイルの記憶する手段と、
前記メールアドレス付きコンテンツ情報のコンテンツデータの前記所定のフィールドから前記特定のメールアドレスを読出す手段と、
前記コンテンツデータに対する再生指示に伴って、前記コンテンツデータの再生に係わる前記所定のデータを求め、この所定のデータを前記読出した特定のメールアドレス宛てに送信させる手段と
を有することを特徴とする電子メール配信システム。
【請求項２】
ユーザ端末に対して配信サーバがコンテンツデータを送信するとき、このコンテンツデータに特定のメールアドレスを暗号化して電子透かしで埋め込んだメールアドレス付きコンテンツ情報を生成し、通信ネットワークを介して前記ユーザ端末に送信し、該ユーザ端末で前記特定のメールアドレスを復号して前記コンテンツデータの再生に係わる所定のデータを前記特定のメールアドレス宛てで前記通信ネットワークを介して送信させる電子メール配信システムであって、
前記配信サーバは、
前記コンテンツ名と前記コンテンツデータとが対応させられて記憶された第１のファイルと、
前記コンテンツ名と一つ又は多数の特定のメールアドレスとが対応させられて記憶された第２のファイルと、
前記第１のファイルから前記コンテンツ名のコンテンツデータを前記ユーザ端末に送信するとき、前記第１のファイルから前記コンテンツ名に対応した前記コンテンツデータを読み出す手段と、
前記第１のファイルから前記コンテンツ名のコンテンツデータを前記ユーザ端末に送信するとき、前記コンテンツ名に対応する前記特定のメールアドレスを読込み、該特定のメールアドレスを乱数で暗号化すると共に、該暗号化された特定メールアドレスを復号させるための復号鍵を生成する手段と、
前記読み出されたコンテンツデータの所定のフィールドに前記暗号化された特定のメールアドレス及び前記復号鍵を電子透かし処理を施して埋め込み、これを前記メールアドレス付きコンテンツ情報として前記ユーザ端末に送信させる手段と
を有し、
前記ユーザ端末は、
前記配信サーバからの前記メールアドレス付きコンテンツ情報を受信して、これを第３のファイルの記憶する手段と、
前記メールアドレス付きコンテンツ情報のコンテンツデータの前記所定のフィールドから前記暗号化された特定のメールアドレス及び復号鍵を読出す手段と、
前記読み出された暗号化された特定のメールアドレスを前記復号鍵で復号する手段と、
前記コンテンツデータに対する再生指示に伴って、前記コンテンツデータの再生に係わるデータを求め、このデータを前記復号された特定のメールアドレス宛てに送信させる手段と
を有することを特徴とする電子メール配信システム。
【請求項３】
ユーザ端末に対して配信サーバがコンテンツデータを送信するとき、特定のメールアドレスを細分化して前記コンテンツデータの所定のフィールドに電子透かしで埋め込んだメールアドレス付きコンテンツ情報を生成して通信ネットワークを介して前記ユーザ端末に送信し、該ユーザ端末で前記特定のメールアドレスを結合して復元させ、前記コンテンツデータの再生に係わる所定のデータを前記復元された特定のメールアドレス宛てに前記通信ネットワークを介して送信させる電子メール配信システムであって、
前記配信サーバは、
前記コンテンツ名と前記コンテンツデータとが対応させられて記憶された第１のファイルと、
前記コンテンツ名と一つ又は多数の特定のメールアドレスとが対応させられて記憶された第２のファイルと、
前記第１のファイルから前記コンテンツ名のコンテンツデータを前記ユーザ端末に送信するとき、前記第１のファイルから前記コンテンツ名に対応した前記コンテンツデータを所定のブロック単位で順次読み出す手段と、
前記コンテンツ名に対応する前記特定のメールアドレスを読込み、該特定のメールアドレスを細分化したアドレスデータを得る手段と、
前記読み出されたブロック単位のコンテンツデータ内の最終のブロック単位のコンテンツデータの所定のフィールドに、前記細分化された前記アドレスデータの一つを電子透かし処理を施して埋め込み、残りの前記細分化されたアドレスデータの残りのアドレスデータを、残りの前記ブロック単位のコンテンツデータの所定のフィールドに電子透かし処理を施して埋め込み、これを前記メールアドレス付きコンテンツ情報として前記ユーザ端末に送信させる手段と
を有し、
前記ユーザ端末は、
前記配信サーバからの前記メールアドレス付きコンテンツ情報を受信して、これを第３のファイルの記憶する手段と、
前記メールアドレス付きコンテンツ情報のコンテンツデータのコンテンツ名を有する前記メールアドレス付きコンテンツデータ情報の各ブロック単位のコンテンツデータを順次読み出す手段と、
前記ブロック単位のコンテンツデータが読み出される毎に、このブロック単位のコンテンツデータの前記所定のフィールドに前記細分化されたアドレスデータが存在するときは、これを読み出す手段と、
前記読み出された細分化されたアドレスデータを、予め記憶されている結合条件に従って結合し、元の前記特定のメールアドレスを復元する手段と、
前記コンテンツ名のコンテンツデータに対する再生指示に伴って、前記コンテンツデータの再生に係わるデータを求め、このデータを前記復元された元の特定のメールアドレス宛てに送信させる手段と
を有することを特徴とする電子透かしを利用した電子メール配信システム。
【発明の詳細な説明】
【技術分野】
【０００１】
本発明は、電子メール配信システムに関し、特に電子透かしを利用してコンテンツの購入者（ユーザ）であるユーザ端末のコンテンツの再生履歴に関する情報をユーザに秘密で、特定のメールアドレス宛てに通知する電子透かしを用いた電子メールシステムに関する。
【背景技術】
【０００２】
コンテンツにＵＲＬが付属されている場合において、このＵＲＬのＷｅｂサイト内のフォームにメールアドレスが記載されている場合は、このメールアドレスにメールを送信できる。
【０００３】
例えば、人気のアーティストのＵＲＬにアクセスした場合に、ページにアーティストへのメールを受け付けるためのメールアドレスが記されている場合は、ユーザは自分のメールアドレスを記して、そのメールアドレス宛てにメールを送ることができるサービスがある。
【０００４】
一方、電子透かしをコンテンツに組み込み、これをコンテンツにリンクするために使用するサービスが提案されている。
【０００５】
例えば、特開平９−１２８４０８号公報（特許文献１）は、光ディスクに、映像情報やネットワークを介して外部情報参照するような記述を設けている。
【０００６】
また、特開平９−２４７５９９号公報（特許文献２）は、光ディスクに記録したマルチメディアデータとインターネットサーバに記録したマルチメディアデータを参照するような記述を設けている。
【０００７】
さらに、特表２００２−５４４６２７号公報（特許文献３）は、メディアコンテンツに組み込まれたデジタル透かしを用いることによって、コンテンツに関連するオートメーション化されたトランザクションを開始することができ、情報やトランザクションを有する独創的なコンテンツをリンクすることができる。
【発明の開示】
【発明が解決しようとする課題】
【０００８】
しかしながら、コンテンツ配給側がコンテンツと同梱しているライナーノーツや、Ｗｅｂ上のコンテンツ配給側のサイトなどに、所定のメールアドレスが通知してあり、ユーザがそのアドレス当てにメールを送信するには、メーラから直接メールアドレスを入力しなければならず（自発的に送信しなければならない）、ユーザにとっては手間がかかるという課題があった。
【０００９】
また、コンテンツに付属のＵＲＬからのＷｅｂサイト内でのフォームにより、メールを送信できるが、これも自発的にメールアドレスを入れて送信しなければならない。
【００１０】
また、ユーザに秘密にしておきたいメールアドレスの場合、ユーザに知られずに送信してもらうことは困難であるという課題があった。
【００１１】
本発明は以上の課題を解決するためになされたもので、コンテンツの購入者であるユーザがコンテンツを利用又は再生すると、ユーザが意識することなく、自動的に再生履歴を特定のメールアドレス宛てに送信させることで、特定のメールアドレスのユーザが購入者に分からないように再生履歴情報を得ることができる電子透かしを利用した電子メール配信システムを得ることを目的とする。
【課題を解決するための手段】
【００１２】
請求項１は、ユーザ端末に対して配信サーバがコンテンツデータを送信するとき、このコンテンツデータに特定のメールアドレスを電子透かしで埋め込んだメールアドレス付きコンテンツ情報を生成し、通信ネットワークを介して前記ユーザ端末に送信し、該ユーザ端末から前記コンテンツデータの再生に係わる所定のデータを前記特定のメールアドレス宛てに前記通信ネットワークを介して送信させる電子透かしを利用した電子メール配信システムであって、前記配信サーバは、前記コンテンツ名と前記コンテンツデータとが対応させられて記憶された第１のファイルと、前記コンテンツ名と一つ又は多数の特定のメールアドレスとが対応させられて記憶された第２のファイルと、前記第１のファイルから前記コンテンツ名のコンテンツデータを前記ユーザ端末に送信するとき、前記第１のファイルから前記コンテンツ名に対応した前記コンテンツデータを読み出す手段と、前記コンテンツ名に対応する前記特定のメールアドレスを前記第２のファイルから読込み、電子透かし処理を施して前記読み出されたコンテンツデータの所定のフィールドに埋め込んだ前記メールアドレス付きコンテンツ情報を生成して前記通信ネットワークを介して前記ユーザ端末に送信させる手段とを有する。
【００１３】
前記ユーザ端末は、前記配信サーバからの前記メールアドレス付きコンテンツ情報を受信して、これを第３のファイルの記憶する手段と、前記メールアドレス付きコンテンツ情報のコンテンツデータの前記所定のフィールドから前記特定のメールアドレスを読出す手段と、前記コンテンツデータに対する再生指示に伴って、前記コンテンツデータの再生に係わる前記所定のデータを求め、この所定のデータを前記読出した特定のメールアドレス宛てに送信させる手段とを備えたことを要旨とする。
【００１４】
請求項２は、ユーザ端末に対して配信サーバがコンテンツデータを送信するとき、このコンテンツデータに特定のメールアドレスを暗号化して電子透かしで埋め込んだメールアドレス付きコンテンツ情報を生成し、通信ネットワークを介して前記ユーザ端末に送信し、該ユーザ端末で前記特定のメールアドレスを復号して前記コンテンツデータの再生に係わる所定のデータを前記特定のメールアドレス宛てで前記通信ネットワークを介して送信させる電子メール配信システムである。
【００１５】
前記配信サーバは、前記コンテンツ名と前記コンテンツデータとが対応させられて記憶された第１のファイルと、前記コンテンツ名と一つ又は多数の特定のメールアドレスとが対応させられて記憶された第２のファイルと、前記第１のファイルから前記コンテンツ名のコンテンツデータを前記ユーザ端末に送信するとき、前記第１のファイルから前記コンテンツ名に対応した前記コンテンツデータを読み出す手段と、前記第１のファイルから前記コンテンツ名のコンテンツデータを前記ユーザ端末に送信するとき、前記コンテンツ名に対応する前記特定のメールアドレスを読込み、該特定のメールアドレスを乱数で暗号化すると共に、該暗号化された特定メールアドレスを復号させるための復号鍵を生成する手段と、前記読み出されたコンテンツデータの所定のフィールドに前記暗号化された特定のメールアドレス及び前記復号鍵を電子透かし処理を施して埋め込み、これを前記メールアドレス付きコンテンツ情報として前記ユーザ端末に送信させる手段とを有する。
【００１６】
前記ユーザ端末は、前記配信サーバからの前記メールアドレス付きコンテンツ情報を受信して、これを第３のファイルの記憶する手段と、前記メールアドレス付きコンテンツ情報のコンテンツデータの前記所定のフィールドから前記暗号化された特定のメールアドレス及び復号鍵を読出す手段と、前記読み出された暗号化された特定のメールアドレスを前記復号鍵で復号する手段と、前記コンテンツデータに対する再生指示に伴って、前記コンテンツデータの再生に係わるデータを求め、このデータを前記復号された特定のメールアドレス宛てに送信させる手段とを備えたことを要旨とする。
【００１７】
請求項３は、ユーザ端末に対して配信サーバがコンテンツデータを送信するとき、特定のメールアドレスを細分化して前記コンテンツデータの所定のフィールドに電子透かしで埋め込んだメールアドレス付きコンテンツ情報を生成して通信ネットワークを介して前記ユーザ端末に送信し、該ユーザ端末で前記特定のメールアドレスを結合して復元させ、前記コンテンツデータの再生に係わる所定のデータを前記復元された特定のメールアドレス宛てに前記通信ネットワークを介して送信させる電子メール配信システムであって、
前記配信サーバは、前記コンテンツ名と前記コンテンツデータとが対応させられて記憶された第１のファイルと、前記コンテンツ名と一つ又は多数の特定のメールアドレスとが対応させられて記憶された第２のファイルと、前記第１のファイルから前記コンテンツ名のコンテンツデータを前記ユーザ端末に送信するとき、前記第１のファイルから前記コンテンツ名に対応した前記コンテンツデータを所定のブロック単位で順次読み出す手段と、前記コンテンツ名に対応する前記特定のメールアドレスを読込み、該特定のメールアドレスを細分化したアドレスデータを得る手段と、前記読み出されたブロック単位のコンテンツデータ内の最終のブロック単位のコンテンツデータの所定のフィールドに、前記細分化された前記アドレスデータの一つを電子透かし処理を施して埋め込み、残りの前記細分化されたアドレスデータの残りのアドレスデータを、残りの前記ブロック単位のコンテンツデータの所定のフィールドに電子透かし処理を施して埋め込み、これを前記メールアドレス付きコンテンツ情報として前記ユーザ端末に送信させる手段とを有する。
【００１８】
前記ユーザ端末は、前記配信サーバからの前記メールアドレス付きコンテンツ情報を受信して、これを第３のファイルの記憶する手段と、前記メールアドレス付きコンテンツ情報のコンテンツデータのコンテンツ名を有する前記メールアドレス付きコンテンツデータ情報の各ブロック単位のコンテンツデータを順次読み出す手段と、前記ブロック単位のコンテンツデータが読み出される毎に、このブロック単位のコンテンツデータの前記所定のフィールドに前記細分化されたアドレスデータが存在するときは、これを読み出す手段と、前記読み出された細分化されたアドレスデータを、予め記憶されている結合条件に従って結合し、元の前記特定のメールアドレスを復元する手段と、前記コンテンツ名のコンテンツデータに対する再生指示に伴って、前記コンテンツデータの再生に係わるデータを求め、このデータを前記復元された元の特定のメールアドレス宛てに送信させる手段とを備えたことを要旨とする。
【発明の効果】
【００１９】
以上のように本発明によれば、通信ネットワークを介してユーザ端末にコンテンツを配信サーバに送信するとき、この配信サーバが特定のメールアドレス（一つ又は複数）を電子透かしでコンテンツデータに埋め込んだメールアドレス付きコンテンツ情報を通信ネットワークを介してユーザ端末に送信して、該ユーザ端末からコンテンツデータの再生に係わるデータを特定のメールアドレス宛てに送信させる。
【００２０】
このため、コンテンツの購入者であるユーザがコンテンツを利用又は再生すると、購入者に特定のメールアドレスを知られることなく、かつ特定のメールアドレスのユーザが購入者に分からないように再生履歴情報を得ることができるという効果が得られている。
【００２１】
また、特定のメールアドレスは、暗号化して透かし処理を施しているので、たとえユーザ端末側で透かしのフィールドを読み込みできたとしても、その特定のメールアドレスを購入者は知ることができないという効果が得られている。
【００２２】
さらに、配信サーバ側からはユーザ側に送信するコンテンツデータを所定の長さでブロック化すると共に、このコンテンツデータに対応する特定のメールアドレスを細分化し、この細分化したメールアドレスのアドレスデータを、ブロック単位のコンテンツブロックの所定のフィールドにちりばめて、これらのフィールドを電子透かし処理してユーザ端末に送信する。
【００２３】
このため、ユーザ側では、全てのコンテンツブロックを再生しなければ、特定のメールアドレス宛てに、ユーザ端末からはデータが送信されないことになる。つまり、特定のメールアドレス宛てに、ユーザ端末から自動的に何らかの情報を送りたいとしても、全てのコンテンツブロックを再生しないと、特定のメールアドレスが生成されないので、コンテンツデータの再生を促すという効果が得られている。
【発明を実施するための最良の形態】
【００２４】
＜実施の形態１＞
図１は本実施の形態１の電子透かしを利用した電子メール配信システムの概略構成図である。図１に示す配信システムは、コンテンツ配信サイト１がユーザ端末２（プレヤー装置）が所望するコンテンツａｉを送信するとき、このコンテンツａｉの所定のフィールドに秘密のメールアドレスｂｉ（特定のメールアドレスという）を電子透かしで埋め込んで通信ネットワーク３を介して送信し、ユーザ端末２側では前述のメールアドレス付コンテンツ情報Ａｉを受信したとき、ユーザ（購入者）の再生履歴情報のメールを特定のメールアドレスｂｉ宛てでメールサーバ４に送信する。例えば、コンテンツの再生回数、再生時間、再生時の動作環境などを送信する。
【００２５】
コンテンツ配信サイト１は、図１に示すように、Ｗｅｂサーバ５と、コンテンツデータベース８と、メールアドレスデータベース９と、コンテンツ配信サーバ１０とを備えている。電子透かし埋込みの機能はＷｅｂサーバ５又はコンテンツ配信サーバ１０（総称して配信サーバともいう）で実施しても良いが本実施の形態では、コンテンツ配信サーバ１０に備える。
【００２６】
コンテンツデータベース８は、各種のコンテンツ情報（コンテンツ名、コンテンツデータ、アーティスト名等）を記憶している。
【００２７】
メールアドレスデータベース９には、コンテンツ名と特定のメールアドレスｂｉのメールアドレスとをリンク付けして保存している。
【００２８】
コンテンツ配信サーバ１０は、コンテンツ読出部１２と、透かし埋込部１３とを備えている。
【００２９】
コンテンツ読出部１２は、ユーザ端末２からのコンテンツ名ｅｉに対応するコンテンツデータａｉをコンテンツデータベース８から抽出する。
【００３０】
透かし埋込部１３は、コンテンツ名ｅｉに対応する特定のメールアドレスｂｉをメールアドレスデータベース９から検索し、この検索した特定のメールアドレスｂｉを電子透かしでコンテンツデータａｉの所定のフィールドに埋め込んでメールアドレス付コンテンツ情報Ａｉとして、Ｗｅｂサーバ５を介して送信させる。
【００３１】
一方、ユーザ端末２は、コンテンツ再生部２０と、透かし読出部２１と、履歴情報算出部２３と、メール自動送信部２２等を備え、コンテンツ配信サイト１からのメールアドレス付コンテンツＡｉをメモリ２４にダウンロードする。
【００３２】
透かし読出部２１は、メモリ２４にメールアドレス付きコンテンツ情報Ａｉが保存されたとき、このコンテンツデータａｉの所定のフィールドを検索し、電子透かしメールアドレスが埋め込まれているかどうかを判定し、埋め込まれているときは、履歴情報算出部２３を起動させると共に、その電子透かしメールアドレスを読み込み、メール自動送信部２２に送出する。コンテンツ再生部２０は、メモリ２４のコンテンツデータａｉを再生する。
【００３３】
履歴情報算出部２３は、コンテンツの再生回数をカウント又は再生時間を計測もしくは再生時の動作環境（ボリューム、ヘッドホンの有無等）を読み、これらの再生履歴情報をメール自動送信部２２に送信する。
【００３４】
メール自動送信部２２は、読み込んだメールアドレス宛てに再生履歴情報をメールサーバ４に送信する。
【００３５】
上記のように構成された実施の形態１の動作を図２のシーケンス図を用いて説明する。
【００３６】
ユーザ（コンテンツの購入者）は、ユーザ端末２を操作して、コンテンツ配信サイト１のＵＲＬを入力してアクセスする（ｄ１）。
【００３７】
コンテンツ配信サイト１のＷｅｂサーバは、氏名、ＩＤコード、コンテンツ名等を入力させるためのページをユーザ端末２に通信ネットワーク３を介して送信する（ｄ２）。
【００３８】
ユーザは、このページに入力フォームに従って、所定のデータを入力してコンテンツ配信サイト１に送信（コンテンツ要求情報という）させる（ｄ３）。
【００３９】
コンテンツ配信サイト１のコンテンツ配信サーバ１０は、コンテンツ要求情報（コンテンツ名、ＩＤ、メールアドレス等）を受信して、予め記憶されている会員情報（図示せず）と比較して認証し（ｄ４）、この認証結果を通信ネットワーク３を介してユーザ端末２に送信する（ｄ５）。
【００４０】
次に、コンテンツ読出部１２がコンテンツ要求情報のコンテンツ名に対応するコンテンツデータをコンテンツデータベース８から読み出す（ｄ６）。
【００４１】
また、透かし埋込部１３は、コンテンツ名に対応する特定のメールアドレスｂｉをメールアドレスデータベース９から検索し、これをコンテンツデータの所定のフィールドに埋め込み電子透かし処理を施す（ｄ７）。そして、このメールアドレス付きコンテンツ情報Ａｉをユーザ端末２に送信する（ｄ８）。
【００４２】
一方、ユーザ端末２は、メールアドレス付きコンテンツ情報Ａｉをメモリ２４（ファイル）にダウンロードする（ｄ９）。前述の電子透かし処理の所定のフィールドとは、例えば、音楽データの場合は、波形のデータがあるフィールドである。画像の場合は、画像を周波数成分に分解し、特定の帯域のみに修正信号を添加する。
【００４３】
次に、ユーザ端末２のユーザは、メモリ２４のメールアドレス付きコンテンツ情報Ａｉのコンテンツ名ｅｉを画面に表示させ、この画面から希望のコンテンツ名を選択し、再生指示を送出させる。この再生指示に伴って、透かし読出部２１は、メモリ２４にメールアドレス付きコンテンツ情報Ａｉが保存されたとき、そのコンテンツデータａｉの所定のフィールドを検索し、電子透かしで特定のメールアドレスｂｉが埋め込まれているかどうかを判定し、埋め込まれているときは、履歴情報算出部２３を起動させると共に、その特定のメールアドレスｂｉを読み込み、メール自動送信部２２に送出する（ｄ１０）。
【００４４】
また、履歴情報算出部２３は、起動に伴って、コンテンツの再生回数をカウントし（ｄ１１）、このカウント値を再生履歴情報としてメール自動送信部２２に送出し、メール自動送信部２２は、メールサーバ４に特定のメールアドレスｂｉ宛てにカウント情報（コンテンツ名、ユーザ名、再生回数等）を送信する（ｄ１２、ｄ１３）。また、コンテンツ再生部２０は、メモリ２４のコンテンツデータを再生する（ｄ１４）。
【００４５】
すなわち、上記のコンテンツ配信サイト１とユーザ端末２は図３のフローチャートに説明する処理を行っている。
【００４６】
コンテンツ配信サーバ１０は、コンテンツ名に対応する特定のメールアドレスｂｉを電子透かしでコンテンツデータに埋めこみ（Ｓ１１）、このメールアドレス付きコンテンツ情報Ａｉをユーザ端末２に送信する（Ｓ１２）。
【００４７】
ユーザ端末２は、メールアドレス付きコンテンツ情報Ａｉの所定のフィールドを読み取り、電子透かしでのメールアドレスが入っているかどうかを判定する（Ｓ１４）。
【００４８】
ステップＳ１４において、電子透かしでのメールアドレスが入っていると判定したときは、コンテンツの再生回数をカウントし（Ｓ１５）、このカウントした再生回数を電子透かしの特定のメールアドレス宛てに送信させた後に（Ｓ１６）、コンテンツを再生する（Ｓ１７）。
【００４９】
なお、上記実施の形態では、メールアドレスデータベースに保存されているメールアドレスはコンテンツに対応して１個としたが、多数のメールアドレスをリンクつけしてもよい。
【００５０】
＜実施の形態２＞
図４は実施の形態２の電子透かしを利用した電子メール配信システムの概略構成図である。図４に示す配信システムは、コンテンツ配信サイト１がユーザ端末２９（プレヤー装置）が所望するコンテンツデータａｉを送信するとき、このコンテンツデータａｉの所定のフィールドに特定のメールアドレスｂｉ及び特定データｃｉ（再生回数をメールで送るコマンド）を電子透かしで埋め込む。そして、通信ネットワーク３を介してメールアドレス付きコンテンツ情報Ｄｉとして送信し、ユーザ端末２側では前述のメールアドレス付きコンテンツ情報Ｄｉを受信したとき、コンテンツデータａｉから特定のメールアドレスｂｉ及び特定データｃｉを読出し、この特定データに基づく情報を求めさせて、特定のメールアドレス宛でメールサーバ４に送信する。例えば、コンテンツの再生回数、再生時間、再生時の動作環境などを送信する。
【００５１】
図４は、コンテンツ配信サイト１には、図１と同様なＷｅｂサーバ５、コンテンツデータベース８、メールアドレスデータベース９を備えている。
【００５２】
また、本実施の形態４のコンテンツ配信サーバ２５は、特定のメールアドレスｂｉ宛てにどんなデータを送るかを入力させ、この入力されたデータを求めさせるためのコマンドを生成し、これを特定データｃｉ（再生回数又は再生時間等）として透かし埋込部２６に渡す特定データ埋込部２７と、コンテンツ読込部１２が読み込んだコンテンツ名に対応する特定のメールアドレスｂｉをメールアドレスデータベース９から読み込み、特定データｃｉと共に、コンテンツデータａｉに透かしで埋め込むための透かし埋め込み部２６とを備えている。
【００５３】
一方、ユーザ端末２９は、図１と同様なコンテンツ再生部２０と、履歴情報算出部２３と、メール自動送信部２２、コンテンツ配信サイト１からのメールアドレス付きコンテンツＤｉがダウンロードされるメモリ２４等を備えている。
【００５４】
そして、本実施の形態２においても、ユーザがユーザ端末２９を操作してメモリ２４のコンテンツ名を画面に表示させ、希望のコンテンツを選択する。この選択によって再生指示が送出される。次に、透かし読出部３０は、再生指示に伴って、メモリ２４にメールアドレス付きコンテンツＤｉのコンテンツデータａｉの所定のフィールドを検索し、電子透かしメールアドレス、特定データが埋め込まれているかどうかを判定し、埋め込まれているときは、履歴情報算出部２３を起動させてその特定データを渡すと共に、その電子透かしメールアドレスを読み込み、メール自動送信部２２に送出する。
【００５５】
上記のように構成された実施の形態２の配信システムについて図５のシーケンス図を用いて動作を説明する。
【００５６】
ユーザ（コンテンツの購入者）は、ユーザ端末２９を操作して、コンテンツ配信サイト１のＵＲＬを入力してアクセスする（ｄ１）。
【００５７】
コンテンツ配信サイト１のＷｅｂサーバは、氏名、ＩＤコード、コンテンツ名等を入力させるためのページをユーザ端末２９に通信ネットワーク３を介して送信する（ｄ２）。
【００５８】
ユーザは、このページに入力フォームに従って、所定のデータを入力してコンテンツ配信サイト１に送信（コンテンツ要求情報という）させる（ｄ３）。
【００５９】
コンテンツ配信サイト１のコンテンツ配信サーバ２５は、コンテンツ要求情報（コンテンツ名、ＩＤ、メールアドレス等）を受信して、予め記憶されている会員情報（図示せず）と比較して認証し（ｄ４）、この認証結果を通信ネットワーク３を介してユーザ端末２９に送信する（ｄ５）。
【００６０】
次に、コンテンツ読出部１２がコンテンツ要求情報のコンテンツ名に対応するコンテンツデータａｉをコンテンツデータベース８から読み出す（ｄ６）。
【００６１】
また、透かし埋込部２６は、コンテンツ名に対応するメールアドレスｂｉをメールアドレスデータベース９から検索し、これをコンテンツデータに埋め込む（ｄ７）。次に、特定データ埋込部２７からの特定データ（本実施の形態では再生回数を求めさせるコマンド）を透かし埋込部２６がメールアドレスにリンク付けしてこれを透かしで埋め込む（ｄ２０）。
【００６２】
そして、このコンテンツデータ（コンテンツ、メールアドレス、特定データ）をＷｅｂサーバを介してユーザ端末２９に送信する（ｄ２１）。
【００６３】
一方、ユーザ端末２９は、メールアドレス付きコンテンツ情報Ｄｉをメモリ２４にダウンロードする（ｄ９）。
【００６４】
次に、透かし読出部３０は、メモリ２４にメールアドレス付きコンテンツＤｉが保存されたとき、そのコンテンツ情報Ｄｉの所定のフィールドを読出し（ｄ１０）、特定のメールアドレスと特定データとが埋め込まれているかどうかを判定し、埋め込まれているときは、履歴情報算出部２３を起動させて特定データ（再生回数）を解読し、再生回数の算出であることを履歴情報算出部２３に渡して再生回数を求めさせると共に、そのメールアドレスを読み込み、メール自動送信部２２に送出する（ｄ２２）。
【００６５】
また、履歴情報算出部２３は、起動に伴って、コンテンツの再生回数をカウントし（ｄ１１）、このカウント値を再生履歴情報としてメール自動送信部２２に送出し、メール自動送信部２２は、メールサーバ４にメールアドレスｂｉ宛てにカウント情報（コンテンツ名、ユーザ名等を含む）を送信する（ｄ１２、ｄ１３）。そして、コンテンツ再生部２０は、メモリ２４のコンテンツデータを再生する（ｄ１４）。
【００６６】
すなわち、本実施の形態２は、コンテンツ配信サイト１側でユーザ端末２９側でコンテンツを再生したとき、どのような履歴情報を特定のメールアドレス宛てに送信するかを決めることを可能とし、特定のメールアドレスと共に、どのような履歴情報を遅らせるかを示す特定データは電子透かしになっているので、ユーザにはわからないことになる。
【００６７】
従って、コンテンツ配信サイトがわではユーザに知られないで、コンテンツ配信サイトが主導で再生に伴う特定データを、秘密メールアドレスに送信させることができる。
【００６８】
＜実施の形態３＞
図６は本実施の形態３の電子透かしを利用した電子メール配信システムの概略構成図である。図６に示す配信システムは、コンテンツ配信サイト１がユーザ端末３５（プレヤー装置）が所望するコンテンツデータａｉを送信するとき、特定のメールアドレスｂｉ（秘密のメールアドレス）を暗号化し、かつ復号用の鍵を生成し、この秘密のメールアドレスｂｉと鍵ｅｉとをコンテンツデータａｉの所定のフィールドに、埋め込んで、電子透かし処理を施したコンテンツ情報Ｈｉを、通信ネットワーク３を介してユーザ端末３５に送信する。ユーザ端末３５側では前述のコンテンツ情報Ｈｉを受信したとき、このコンテンツ情報Ｈｉの所定のフィールドの暗号化された特定のメールアドレスｈｉ及び鍵ｅｉを読み出して復号し、復号した特定のメールアドレスを、復号した鍵で解凍し、この特定のメールアドレスｂｉ宛てでメールサーバ４に送信する。例えば、コンテンツの再生回数、再生時間、再生時の動作環境などを送信する。
【００６９】
図６は、コンテンツ配信サイト１に図１と同様なＷｅｂサーバ５、コンテンツデータベース８、メールアドレスデータベース９を備えている。
【００７０】
本実施の形態３の  コンテンツ配信サーバ３６は、図１と同様なコンテンツ読込１２と、透かし埋込部３７と、暗号化部３９とを備えている。
【００７１】
コンテンツ読出部１２は、ユーザ端末２からのコンテンツ名に対応するコンテンツデータａｉをコンテンツデータベース８から抽出する。
【００７２】
暗号化部３９は、コンテンツ名に対応する秘密メールアドレスｂｉをメールアドレスデータベース９から読出し、これを暗号化する。この暗号化はランダムな乱数を発生させて生成するのが好ましい。また、暗号化部３９は、この暗号化された特定のメールアドレスを復号するための鍵を前述の乱数により生成する。
【００７３】
透かし埋込部３７は、暗号化された秘密メールアドレスと鍵とをコンテンツ情報のフィールドに埋め込んで、このフィールドを透かし処理して送信させる。
【００７４】
一方、ユーザ端末３５は、図１と同様なコンテンツ再生部２０と、履歴情報算出部２３と、メール自動送信部２２等を備える。また、本実施の形態３では、透かし読出部４０がメモリ２４に保存しているコンテンツ情報Ｈｉのフィールドの暗号化された秘密メールアドレスと鍵とを読出す。
【００７５】
復号化部４１は、暗号化された秘密メールアドレスを鍵で復号してメール自動送信部２２及び履歴情報算出部２３に出力する。
【００７６】
上記のように構成された実施の形態３の配信システムについて図７のシーケンス図を用いて動作を説明する。
【００７７】
ユーザ（コンテンツの購入者）は、ユーザ端末３５を操作して、コンテンツ配信サイト１のＵＲＬを入力してアクセスする（ｄ１）。
【００７８】
コンテンツ配信サイト１のＷｅｂサーバは、氏名、ＩＤコード、コンテンツ名等を入力させるためのページをユーザ端末３５に通信ネットワーク３を介して送信する（ｄ２）。
【００７９】
ユーザは、このページに入力フォームに従って、所定のデータを入力してコンテンツ配信サイト１に送信（コンテンツ要求情報という）させる（ｄ３）。
【００８０】
コンテンツ配信サイト１のコンテンツ配信サーバ３６は、コンテンツ要求情報（コンテンツ名、ＩＤ、メールアドレス等）を受信して、予め記憶されている会員情報（図示せず）と比較して認証し（ｄ４）、この認証結果を通信ネットワーク３を介してユーザ端末３６に送信する（ｄ５）。
【００８１】
次に、コンテンツ読出部１２がコンテンツ要求情報のコンテンツ名に対応するコンテンツデータをコンテンツデータベース８から読み出す（ｄ６）。
【００８２】
次に、暗号化部３９は、特定のメールアドレスｂｉを暗号化すると共に、復号用の鍵を生成する（ｄ２５、ｄ２６）。この暗号化は、例えば乱数を発生させ、特定のメールアドレスｂｉに加算し、この加算結果を暗号化された特定のメールアドレスとしている。この鍵は、暗号化のときに、排他的論理和（フラグのたっているところを反転）を使って得ている。
【００８３】
次に、透かし埋込部３７は、鍵と特定のメールアドレスとを一組にしてコンテンツデータの所定のフィールドに埋め込み、このフィールドに透かし処理を施し（ｄ２７）、コンテンツ情報Ｈｉとしてユーザ端末３６に送信する（ｄ２８）。
【００８４】
一方、ユーザ端末３６は、コンテンツ情報Ｈｉをメモリ２４にダウンロードする（ｄ９）。
【００８５】
次に、透かし読出部４０は、メモリ２４にメールアドレス付コンテンツが保存されたとき、そのコンテンツの所定のフィールドを読出し、特定のメールアドレスと鍵とが埋め込まれているかどうかを判定し、埋め込まれているときは、この特定のメールアドレスと鍵とを読出す（ｄ１０）。
【００８６】
次に、復号化部４１は、この鍵を使用して暗号化された特定のメールアドレスを復号して、履歴情報算出部２３及びメール自動送信部２２に出力する（ｄ２８）。
【００８７】
履歴情報算出部２３は、秘密のメールアドレスが出力されると、コンテンツの再生回数を求め（更新）、メール自動送信部２２に出力する（ｄ１１）。
【００８８】
メール自動送信部２２は、履歴情報算出部２３からのコンテンツ名と再生回数と、ユーザ名とを秘密のメールアドレス宛てでメールサーバ４に送信する（ｄ１２、ｄ１３）。  そして、コンテンツ再生部２０は、メモリ２４のコンテンツデータを再生する（ｄ１４）。
【００８９】
すなわち、上記のコンテンツ配信サイト１のコンテンツ配信サーバ３６とユーザ端末３５は図８のフローチャートに説明する処理を行っている。
【００９０】
コンテンツ配信サーバ３６は、コンテンツ名に対応するメールアドレスｂｉを暗号化すると共に、鍵を生成する（Ｓ２１）。
【００９１】
次に、電子透かしで暗号化されたメールアドレスと鍵とをコンテンツに埋めこみ（Ｓ２２）、このメールアドレス付きコンテンツをユーザ端末３５に送信する（Ｓ２３）。
【００９２】
一方、ユーザ端末３５は、メールアドレス付きコンテンツの電子透かし処理されている所定のフィールドを読み取り（Ｓ２４）、暗号化されたメールアドレスと鍵が入っているかどうかを判定する（Ｓ２５）。
【００９３】
ステップＳ２５において、暗号化された特定のメールアドレスと鍵とが入っていると判定したときは、この鍵で暗号化された特定のメールアドレスを復号し（Ｓ２６）、このメールアドレス宛てでコンテンツの再生回数をメールサーバ４に送信させた後に（Ｓ２７）、コンテンツを再生する（Ｓ２８）。
【００９４】
従って、ユーザ端末のユーザは、特定のメールアドレスを容易に読み取ることはできない。
【００９５】
＜実施の形態４＞
図９は本実施の形態４の電子透かしを利用した電子メール配信システムの概略構成図である。図９に示す配信システムは、コンテンツ配信サイト１がユーザ端末５５（プレヤー装置）が所望するコンテンツデータａｉを送信するとき、特定のメールアドレスｂｉ（秘密のメールアドレス）を細分化し、これをばらばらにしてブロック化されたコンテンツデータａｉの所定のフィールドに埋め込んで、透かし処理を施したコンテンツ情報Ｆｉを、通信ネットワーク３を介してユーザ端末５５に送信する。ユーザ端末５５側では前述のコンテンツ情報Ｆｉを受信したとき、このコンテンツ情報Ｆｉの所定のフィールドのばらばらのデータを読出し、これを所定の条件に従って結合することで元の特定のメールアドレスを得る。
【００９６】
そして、この特定のメールアドレスｂｉ宛てでメールサーバ４に送信する。例えば、コンテンツの再生回数、再生時間、再生時の動作環境などを送信する。
【００９７】
図９は、コンテンツ配信サイト１に図１と同様なＷｅｂサーバ５、コンテンツデータベース８、メールアドレスデータベース９を備えている。
【００９８】
本実施の形態４のコンテンツ配信サーバ５０は、図１と同様なコンテンツ読込部１２を有している
細分化部５１は、ユーザ端末５５からのコンテンツ名にリンク付けされている特定のメールアドレスｂｉをメールアドレスデータベース９から抽出し、これを所定の条件に従って細分化し、さらにこれらをばらばらにする。また、細分化部５１は、どのようにばらばらにしたかを把握しているので、復元させるための結合条件を求めて、これを所定のフィールドに埋め込んでもよい。例えば、細分化したデータをｂ４、ｂ２、ｂ１、ｂ３という具合にばらばらにした場合は、ｂ４は最後、ｂ１は先頭という具合に条件を定める。
【００９９】
透かし埋込部５２は、ばらばらのメールアドレスのデータを、コンテンツブロック化部５３によってブロック化されたコンテンツデータの所定のフィールドに埋め込んで、電子透かし処理を施し、これをユーザ端末５５に送信させる。この埋め込みは、最終のブロックに細分化されたデータ（特定のメールアドレス）が埋め込まれるようにし、後のデータは適当なブロックにばら撒くのが好ましく、かつ結合条件もばらまくのが好ましい。
【０１００】
コンテンツブロック化部５３は、コンテンツ読込部１２が読み込んだコンテンツデータａｉを、例えば一小節毎にブロック化する。
【０１０１】
一方、ユーザ端末５５は、図１と同様なコンテンツ再生部２０と、履歴情報算出部２３と、メール自動送信部２２等を備える。また、本実施の形態４では、透かし読出し部５６がメモリ２４に保存しているコンテンツ情報のフィールドのブロック毎に、そのデータを読み出して結合部５７に渡す。
【０１０２】
結合部５７は、これらのデータを予め記憶されている所定の条件に従って結合して、元の秘密のメールアドレスｂｉを得て、履歴情報算出部２３及びメール自動送信部２２に渡す。
【０１０３】
上記のように構成された実施の形態４の配信システムについて図１０のシーケンス図を用いて動作を説明する。
【０１０４】
ユーザ（コンテンツの購入者）は、ユーザ端末５５を操作して、コンテンツ配信サイト１のＵＲＬを入力してアクセスする（ｄ１）。
【０１０５】
コンテンツ配信サイト１のＷｅｂサーバは、氏名、ＩＤコード、コンテンツ名等を入力させるためのページをユーザ端末５５に通信ネットワーク３を介して送信する（ｄ２）。
【０１０６】
ユーザは、このページに入力フォームに従って、所定のデータを入力してコンテンツ配信サイト１に送信（コンテンツ要求情報という）させる（ｄ３）。
【０１０７】
コンテンツ配信サイト１のコンテンツ配信サーバ５０は、コンテンツ要求情報（コンテンツ名、ＩＤ、メールアドレス等）を受信して、予め記憶されている会員情報（図示せず）と比較して認証し（ｄ４）、この認証結果を通信ネットワーク３を介してユーザ端末５５に送信する（ｄ５）。
【０１０８】
次に、コンテンツ読出部１２がコンテンツ要求情報のコンテンツ名に対応するコンテンツデータをコンテンツデータベース８から読み出す（ｄ６）。
【０１０９】
そして、コンテンツブロック化部５３がコンテンツデータａｉを、図１１（ａ）に示すように、ブロック単位に区切る（ｄ２９）。
【０１１０】
次に、細分化部５１は、図１１（ｂ）に示すように、特定のメールアドレスｂｉを所定の条件に従って、細分化し（ｄ３０）、このデータをばらばらにする（ｄ３１）。例えば、図１１（ａ）に示すような特定のメールアドレスの場合に、ｂ１、ｂ２、ｂ３、ｂ４の範囲を、それぞれ１つのデータとする。
【０１１１】
そして、透かし埋め込み部５２は、ブロック化されたコンテンツデータの所定のフィールドに図１１（ｃ）に示すようなばらばらのデータ、結合条件を順次埋め込み（配信側から結合条件を送信する場合のみ）、電子透かし処理を施し（ｄ３２）、図１１（ｄ）に示すように、メールアドレスばらばらのコンテンツ情報Ｆｉとしてユーザ端末５５に送信する（ｄ３３）。このとき、ユーザ端末側で結合条件が存在しない場合は、元に戻すための条件を電子透かしで添付するのが好ましい。また、埋め込みは、最終のブロックに細分化されたデータ（特定のメールアドレス）が埋め込まれるようにし、後のデータは適当なブロックにばら撒くのが好ましい。
【０１１２】
一方、ユーザ端末５５は、メールアドレスばらばらのコンテンツ情報Ｆｉをメモリ２４にダウンロードする（ｄ９）。
【０１１３】
次に、透かし読出部５６は、メモリ２４にコンテンツＦｉが保存されたとき、そのコンテンツデータをブロック毎に読出し、このコンテンツデータの所定のフィールドを読出し、ばらばらにされた一つのデータを読出しする（ｄ１０）。そして、結合部５７がこれらのデータを予め記憶されている結合条件で結合して元の秘密のメールアドレスに復元して、履歴情報算出部２３及びメール自動送信部２２に出力する（ｄ３４）。
【０１１４】
履歴情報算出部２３は、特定のメールアドレスが出力されると、コンテンツの再生回数を求め（更新）、メール自動送信部２２に出力する（ｄ１１）。
【０１１５】
メール自動送信部２２は、履歴情報算出部２３からのコンテンツ名と再生回数と、ユーザ名とを秘密のメールアドレス宛てでメールサーバ４に送信する（ｄ１２、ｄ１３）。  そして、コンテンツ再生部２０は、メモリ２４のコンテンツデータを再生する（ｄ１４）。
【０１１６】
すなわち、上記のコンテンツ配信サイト１のコンテンツ配信サーバ３６とユーザ端末５５は図１２のフローチャートに説明する処理を行っている。
【０１１７】
コンテンツ配信サーバ５６は、コンテンツデータをブロック単位に区切ると共に、コンテンツ名に対応するメールアドレスｂｉを所定のブロック単位にして細分化し、これをばらばらにする（Ｓ３１）。
【０１１８】
次に、ブロック単位のコンテンツデータａｉの所定のフィールドに、このばばららのデータを埋め込んで電子透かし処理を施す（Ｓ３２）。そして、このメールアドレスばらばらのコンテンツ情報Ｆｉをユーザ端末５５に送信する（Ｓ３３）。
【０１１９】
一方、ユーザ端末５５は、メールアドレスばらばらのコンテンツ情報を透かし読出し部５６で読出し（Ｓ３４）、ばらばらのメールアドレスが入っているかどうかを判定する（Ｓ３５）。
【０１２０】
ステップＳ３５において、ばらばらのメールアドレスが入っていると判定したときは、所定の条件（結合）に従って、これらのデータを結合することで元の秘密のメールアドレスを得る（Ｓ３７）。そして、このメールアドレス宛てでコンテンツの再生回数をメールサーバに送信させた後に（Ｓ３８）、コンテンツを再生する（Ｓ３９）。
【０１２１】
従って、ユーザ端末のユーザは、ブロック単位のコンテンツデータを、全て再生しなければ、特定のメールアドレス宛てにメールを送ることができない。
【図面の簡単な説明】
【０１２２】
【図１】実施の形態１の電子透かしを利用した電子メール配信システムの概略構成図である。
【図２】実施の形態１の動作を説明するシーケンス図である。
【図３】実施の形態１の概念を説明するフローチャートである。
【図４】実施の形態２の電子透かしを利用した電子メール配信システムの概略構成図である。
【図５】実施の形態２の動作を説明するシーケンス図である。
【図６】実施の形態３の電子透かしを利用した電子メール配信システムの概略構成図である。
【図７】実施の形態３の動作を説明するシーケンス図である。
【図８】実施の形態３の概念を説明するフローチャートである。
【図９】本実施の形態４の電子透かしを利用した電子メール配信システムの概略構成図である。
【図１０】実施の形態４の動作を説明するシーケンス図である。
【図１１】実施の形態４の特定メールの細分化と埋め込みを説明する説明図である。
【図１２】実施の形態３の概念を説明するフローチャートである。
【符号の説明】
【０１２３】
１  コンテンツ配信サイト
２  ユーザ端末２
５  Ｗｅｂサーバ５
１０    コンテンツ配信サーバ
１２  コンテンツ読出部
１３  透かし埋込部
２０  コンテンツ再生部
２１  透かし読出部
２２  メール自動送信部
２３  履歴情報算出部
【図１】
2005184524.tif 000003
【図２】
2005184524.tif 000004
【図３】
2005184524.tif 000005
【図４】
2005184524.tif 000006
【図５】
2005184524.tif 000007
【図６】
2005184524.tif 000008
【図７】
2005184524.tif 000009
【図８】
2005184524.tif 000010
【図９】
2005184524.tif 000011
【図１０】
2005184524.tif 000012
【図１１】
2005184524.tif 000013
【図１２】
2005184524.tif 000014